(57)【要約】    【課題】  印字用エンドレスバンドにおける活字を交換可能に設けることにより、ユーザの希望する文字配列のハンドラベラーが容易に実現できる印字器における印字用エンドレスバンドを提供する。【解決手段】  円周上にセット孔６が複数形成された輪状のバンド本体２と、セット孔に対し着脱自在に設けられる、活字Ｃを備えた活字担体５０、および見出し文字Ｓを備えた見出し文字担体５０と、バンド本体を回転駆動し、所望の活字体を選択する選択機構３と、選択された活字を被印字媒体Ｔに押圧する押圧機構４と、を有する印字器における印字用エンドレスバンド１０である。  バンド本体の円周方向における二分の一を印字文字領域Ｎ、他の二分の一を見出し文字領域Ｍとして、印字文字領域のセット孔に対し所望の活字担体を押し入れて装着するとともに、円周方向の対峙するセット孔に活字担体の活字に対応した見出し文字が備えられた見出し文字担体を装着する。【選択図】  図８
2013022915.tif 000002
【特許請求の範囲】
【請求項１】
円周上にほぼ等間隔でセット孔が複数形成されるとともに、印字器に取り付けられる輪状のバンド本体と、
前記バンド本体の前記セット孔に対し着脱自在に設けられる、活字を備えた活字担体と、
前記バンド本体の前記セット孔に対し着脱自在に設けられる、見出し文字を備えた見出し文字担体と、
前記バンド本体を回転駆動し、所望の活字を選択する選択機構と、
選択された活字を被印字媒体に押圧する押圧機構と、を有する印字器における印字用エンドレスバンドであって、
前記バンド本体の円周方向における二分の一を印字文字領域、および他の二分の一を見出し文字領域として、前記印字文字領域の前記セット孔に対し所望の活字担体を押し入れて装着するとともに、円周方向の対峙するセット孔に前記活字担体の活字に対応した見出し文字が備えられた前記見出し文字担体を装着して成ることを特徴とする印字器における印字用エンドレスバンド。
【請求項２】
前記活字担体は、
台座部材の表面に文字や図柄を含む活字が形成された活字体と、
前記活字体を支持する支持部材と、
前記活字体の前記台座部材の裏面に一端が固定されるとともに、他端が前記支持部材に固定されて前記活字体と前記支持部材とを連結する連結部材と、
前記支持体から突出して設けられた抑止部材と、を備えたことを特徴とする請求項１に記載の印字器における印字用エンドレスバンド。
【請求項３】
前記印字文字領域および見出し文字領域は、異なる色で分けられていることを特徴とする請求項１に記載の印字器における印字用エンドレスバンド。
【請求項４】
円周上にほぼ等間隔でセット孔が複数形成されるとともに、印字器に取り付けられる輪状のバンド本体と、
前記バンド本体の前記セット孔に対し着脱自在に設けられる、活字を備えた活字担体と、
前記バンド本体の前記セット孔に対し着脱自在に設けられる、見出し文字を備えた見出し文字担体と、
前記バンド本体を回転駆動し、所望の活字を選択する選択機構と、
選択された活字を被印字媒体に押圧する押圧機構と、を有する印字器における印字用エンドレスバンドの作製方法であって、
前記バンド本体のセット孔に対し所望の見出し文字が設けられた見出し文字担体を装着するとともに、
前記輪状のバンド本体の円周方向において前記見出し文字担体が装着されたセット孔に対峙する位置のセット孔に前記見出し文字担体の見出し文字に対応する活字が設けられた活字担体を装着することを特徴とする印字器における印字用エンドレスバンドの作製方法。
【発明の詳細な説明】
【技術分野】
【０００１】
本発明は、特に、複数の印字用エンドレスバンドにおける価格、日付、通貨単位等の活字（印字文字）を交換可能に設けた印字器における印字用エンドレスバンドおよびその作製方法に関する。
【背景技術】
【０００２】
従来、小売流通業界等で、商品に値段や日付などを印字して貼付するのに、ハンドラベラーと称する携帯式の印字貼付装置が知られている。
このハンドラベラーにおいて、前記値段や日付などを印字するために印字器が装着されている（例えば、特許文献１参照）。
図１４は、特許文献１に開示されるハンドラベラーの印字器に使用される印字用エンドレスバンド２０の断面図であり、印字用エンドレスバンド２０は、輪状のバンド本体２１と、このバンド本体２１の外周面にそれぞれの領域に分けて形成した所定数の印字文字２２および見出し文字２３と、バンド本体２１の内周面に各見出し文字２３に対応して突出形成した複数個の低い駆動用突起部２４および高い駆動用突起部２５と、を備えている。なお、駆動用突起部２４、２５を形成していないバンド本体２１の他の内周面は、これを平坦部２６としてある。
図示省略の印字器は、上記印字用エンドレスバンド２０を幅方向に数列まとめるとともに回転自在に組み付けて構成され、任意の列の印字用エンドレスバンド２０を回転して特定の印字文字２２が選択できるようになっている。
ところで、上記バンド本体２１は、ゴムベルトに印字文字２２および見出し文字２３が一体に成型加工されたものであり、一体成型されていることにより以下の問題点があった。すなわち、
１）ゴムベルト（バンド本体２１）に印字文字２３が一体になっており、ゴムベルトを回転させて所望の印字文字２２を選択する際、中途半端な回転でセットされると、図示省略のラベルなどの被印字媒体に印字する際、印字文字２２が斜めに当たって文字欠けや印字不良を発生することがある。
２）頻繁に使う特定の印字文字２２が消耗した場合、他の印字文字２２が印字可能な状態であってもバンド本体２１ごと交換する必要がある。
３）印字器に複数列まとめて配設・装着されたバンド本体２２のうちの1本を交換するとともに交換後の調整を図るには、高い熟練度を必要とする。
４）通貨マークや重さ単位など、国ごとに使用する文字が異なる場合、国ごとの通貨文字や重量単位文字などの所望の印字文字２２が入ったバンド本体２１を一体成型する必要があるため手間がかるばかりか、種類の異なる印字文字２２が配列されたバンド本体２１が増加し、管理が困難になる。
【先行技術文献】
【特許文献】
【０００３】
【特許文献１】特開平１０−３３７９４０号
【発明の概要】
【発明が解決しようとする課題】
【０００４】
本発明は、上記の諸問題に着目して成されたものであり、印字用エンドレスバンドにおける価格、日付、通貨単位等の活字を交換可能に設けることにより、ユーザの希望する文字配列のハンドラベラーが容易に実現できる印字器における印字用エンドレスバンドおよびその作製方法を提供することを課題とする。
【課題を解決するための手段】
【０００５】
本発明の第１の発明に係る印字器における印字用エンドレスバンドは、円周上にほぼ等間隔でセット孔が複数形成されるとともに、印字器に取り付けられる輪状のバンド本体と、前記バンド本体の前記セット孔に対し着脱自在に設けられる、活字を備えた活字担体と、前記バンド本体の前記セット孔に対し着脱自在に設けられる、見出し文字を備えた見出し文字担体と、前記バンド本体を回転駆動し、所望の活字体を選択する選択機構と、選択された活字を被印字媒体に押圧する押圧機構と、を有する印字器における印字用エンドレスバンドであって、前記バンド本体の円周方向における二分の一を印字文字領域、および他の二分の一を見出し文字領域として、前記印字文字領域の前記セット孔に対し所望の活字担体を押し入れて装着するとともに、円周方向の対峙するセット孔に前記活字担体の活字に対応した見出し文字が備えられた前記見出し文字担体を装着して成ることを特徴とする。
また、活字担体を、台座部材の表面に文字や図柄を含む活字が形成された活字体と、活字体を支持する支持部材と、活字体の台座部材の裏面に一端が固定されるとともに、他端が支持部材に固定されて活字体と支持部材とを連結する連結部材と、支持体から突出して設けられた抑止部材と、を備えるようにできる。
また、印字文字領域および見出し文字領域を、異なる色で分けるようにできる。
さらに、第２の発明に係る印字器における印字用エンドレスバンドの作製方法は、円周上にほぼ等間隔でセット孔が複数形成されるとともに、印字器に取り付けられる輪状のバンド本体と、前記バンド本体の前記セット孔に対し着脱自在に設けられる、活字を備えた活字担体と、前記バンド本体の前記セット孔に対し着脱自在に設けられる、見出し文字を備えた見出し文字担体と、前記バンド本体を回転駆動し、所望の活字を選択する選択機構と、選択された活字体を被印字媒体に押圧する押圧機構と、を有する印字器における印字用エンドレスバンドの作成方法であって、前記バンド本体のセット孔に対し所望の見出し文字が設けられた見出し文字担体を装着するとともに、前記輪状のバンド本体の円周方向において前記見出し文字担体が装着されたセット孔に対峙する位置のセット孔に前記見出し文字担体の見出し文字に対応する活字が設けられた活字担体を装着することを特徴とする。
【発明の効果】
【０００６】
本発明の第１の発明に係る印字器における印字用エンドレスバンドは、円周上にほぼ等間隔でセット孔が複数形成されるとともに、印字器に取り付けられる輪状のバンド本体と、バンド本体のセット孔に対し着脱自在に設けられる、活字を備えた活字担体と、バンド本体のセット孔に対し着脱自在に設けられる、見出し文字を備えた見出し文字担体と、バンド本体を回転駆動し、所望の活字を選択する選択機構と、選択された活字を被印字媒体に押圧する押圧機構と、を有する印字器における印字用エンドレスバンドであって、バンド本体の円周方向における二分の一を印字文字領域、および他の二分の一を見出し文字領域として、印字文字領域のセット孔に対し所望の活字担体を押し入れて装着するとともに、円周方向の対峙するセット孔に活字担体の活字に対応した見出し文字が備えられた見出し文字担体を装着するようにしたので、所望の文字が配列された印字用エンドレスバンドが自由に作製でき、かつ、交換する場合でも、従来のようにバンド本体ごと交換しないで済むため、コストの削減および交換時間の短縮が図れるという効果がある。
また、活字担体を、台座部材の表面に文字や図柄を含む活字が形成された活字体と、活字体を支持する支持部材と、活字体の台座部材の裏面に一端が固定されるとともに、他端が支持部材に固定されて活字体と前記支持部材とを連結する連結部材と、支持体から突出して設けられた抑止部材と、を備えるようにすれば、セット孔に活字担体が装着されたとき、台座部材の裏面と、支持部材および抑止部材との間でバンド本体を挟んだ状態で支持されるので、確実に装着されるようになる。
また、印字文字領域および見出し文字領域を、異なる色で分けるようにすれば、活字担体と見出し文字担体とを装着する際、装着間違いが軽減される。
さらに、第２の発明に係る印字器における印字用エンドレスバンドの作成方法は、バンド本体のセット孔に対し所望の見出し文字が設けられた見出し文字担体を装着するとともに、輪状のバンド本体の円周方向において見出し文字担体が装着されたセット孔に対峙する位置のセット孔に見出し文字担体の見出し文字に対応する活字が設けられた活字担体を装着するので、活字担体と見出し文字担体とを装着する際、装着間違いが軽減されるという効果がある。
【図面の簡単な説明】
【０００７】
【図１】本発明に係る印字用エンドレスバンドのバンド本体が装着された印字器の概略側面説明図である。
【図２】同、図１中、矢示ＩＩ方向より見た、バンド本体のセット孔の部分拡大説明図である。
【図３】同、印字用エンドレスバンドで使用する活字担体の概略斜視図である。
【図４】同、バンド本体に活字担体を装着した状態を示す一部破断の拡大断面図である。
【図５】同、図４中、矢示Ｖ方向より見た活字体の部分拡大説明図である。
【図６】同、図４中、矢示ＶＩ方向より見た支持部材の部分拡大説明図である。
【図７】同、見出し文字担体を示す図３相当の概略斜視図である。
【図８】同、印字用エンドレスバンドが装着された印字器の概略側面説明図である。
【図９】同、図８中、矢示ＩＸ方向より見た印字器の概略説明図である。
【図１０】同、図８中の選択機構部分を示す部分拡大説明図である。
【図１１】同、図８中の押圧機構部分を示す部分拡大説明図である。
【図１２】同、図８中、矢示ＸＩＩ方向より見た選択機構手前の部分拡大説明図である。
【図１３】同、活字担体および見出し文字担体を保管する活字保管用パネルの平面図である。
【図１４】従来の印字用エンドレスバンドを示す概略側面図である。
【発明を実施するための形態】
【０００８】
以下、本発明に係る印字器における印字用エンドレスバンドの一実施の形態につき、図１ないし図１２に基づいて説明する。
【０００９】
本発明に係る印字器１は当初、図１に示すように、主に、輪状のバンド本体２と、選択機構３と、押圧機構４と備え、これらがケーシング５（図１において、想像線で示してある）内に配設されている。
なお、７は見出し窓部、８は担体装着部を示す。これら見出し窓部７および担体装着部８の詳細は、後述する。
【００１０】
バンド本体２は、ｔの厚みをもって輪状に形成されており、後述の選択機構３および押圧機構４との間において回動可能、かつ、所定の張力をもって掛け渡されている。
また、主に、図２に示すように、バンド本体２には、長手方向Ｌに延びた細長いセット孔６がほほ等間隔で複数形成されており、各セット孔６は、長手方向Ｌにおける中央部が幅方向（長手方向Ｌと交差する方向）において他の部位よりやや広く切り欠かれた形状となっている。
図１に戻って、輪状のバンド本体２は、円周方向における二分の一が印字文字領域Ｎ、残りの二分の一が見出し文字領域Ｍとされ、印字文字領域Ｎには後述する「活字」が形成された「活字担体」を、また、見出し文字領域Ｍには「見出し文字」が形成された「見出し文字担体」を、各々配設するようになっている（詳細は、後述する）。
なお、印字領域Ｎと見出し文字領域Ｍとを異なった色で着色することにより確認し易くし、もって「活字担体」および「見出し文字担体」の装着ミスを軽減することができる。
なお、バンド本体２は、従来のようなゴム製ではなく、樹脂製とすることが望ましい。
【００１１】
ここで主に、図３を用いて、活字担体５０につき説明する。
活字担体５０は、台座部材５１の表面に文字や図柄を含む活字Ｃが形成された活字体５２と、支持部材５３と、連結部材５４と、抑止部材５５とを備える。
活字体５２は、正像に対し鏡反転された活字Ｃが台座部材５１の表面に埋め込まれた状態で構成されている。なお、活字体５２を構成する台座部材５１および活字Ｃは、樹脂で作製してもよく、あるいは、活字Ｃは、従来どおりゴム製でも構わないものとする。
支持部材５３は、平面（矢示Ｈから見た状態）の形状が前記バンド本体２のセット孔６とほぼ同様となっており、かつ、大きさ（サイズ）はセット孔６より若干大きい面積（１０３％から１０５％程度）となっている。
連結部材５４は、一端が前記活字体５２の裏面（活字Ｃが形成されていない、台座部材５１の裏面）に固定され、他端が前記支持部材５３に固定されており、活字体５２と支持部材５３とを連結する「つなぎ部材」の役割を果たすものであり、長さｈは、前記バンド本体２の厚みｔよりわずかに長いサイズ（厚みｔの１０２％から１０４％程度）となっている（図４参照）。
抑止部材５５は、前記支持部材５３の側面、すなわち、長手方向Ｌに交差する支持部材５３の側面の下端部（図３における上下方向の下端部）において突出して形成されており、この抑止部材５５の下端部５５ａと支持部材５３の下端部５３ａとは、ほぼ面一となっている。
なお、支持部材５３および連結部材５４も、活字体５０と同様、樹脂製とすることが望ましい。
また、活字体５２は、後述の活字保管用パネル３０（図１２）に保管されている。
【００１２】
次に、主に、図４ないし図６を参照して活字担体５０が装着された状態につき説明する。
図４は、前記活字担体５０がバンド本体２に装着された状態を示す一部破断の拡大断面図、図５は、図４中、矢示Ｖ方向（輪状のバンド本体２の外周面）より見た活字体５２の部分拡大説明図、図６は、図４中、矢示ＶＩ方向（輪状のバンド本体２の内周面）より見た活字体５２の支持部材５３部分の部分拡大説明図である。
セット孔６より挿し入れた活字担体５０は、バンド本体２の表面側は活字体５２の台座部材５１が、また、裏面側は支持部材５３および抑止部材５５が、各々当接してバンド本体２を挟んだ状態で装着される。すなわち、活字担体５０は、バンド本体２の表面（外周面）に台座部材５１の裏面が、また、バンド本体２の裏面（内周面）に支持部材５３および抑止部材５５が、各々当接して装着され、しかも、バンド本体２の裏面では、セット孔６より若干大きな面積の支持部材５３、および支持部材５３より側面（図６における左右方向）に突出して形成された抑止部材５５によって抑えられるため抜け止めが抑止され、さらに、支持部材５３および抑止部材５５の間を連結する連結部材５４がバンド本体２の厚みｔよりわずかに長い長さ（サイズ）ｈに形成されているため、装着された状態での「遊び」、すなわち、三次元方向での動きがフリー状態となるものである。
なお、活字Ｃは、主に、図５に示すように、鏡反転された状態で形成されている（図示の例では、鏡反転された「＄（ドルマーク）」の活字Ｃが台座部材５１に埋め込まれて形成された状態を示している）。
【００１３】
図７は、見出し文字担体６０を示す概略斜視図であり、活字担体５０とほぼ同様の形状とされている。すなわち、活字担体５０の「部材」と同じ台座部材５１、支持部材５３、連結部材５３を備えており、異なる部分は、活字体５２の部分が台座部材５１に後述の見出し文字Ｓを貼り付けた見出し文字体６１となっている点であり、この見出し文字担体６０も活字担体５０と同様、バンド本体２の表面（外周面）より見出し文字領域Ｍのセット孔６を押し開き、支持部材５３および抑止部材５５をセット孔６に押し入れて装着するようになっている。
【００１４】
次に、主に、図８ないし図１２に基づき、印字用エンドレスバンド１０が装着された印字器１について説明する。
図８は、印字用エンドレスバンド１０が装着された印字器１の概略側面説明図であり、図１に示された選択機構３および押圧機構４の間に、セット孔６が形成されたバンド本体２が掛け渡された状態から、バンド本体２のセット孔６に活字担体５０および見出し文字担体６０が装着されて構成された印字用エンドレスバンド１０が所定の張力をもって掛け渡された状態を示している。
なお、印字器１には、ケーシング５の上部に見出し窓７が形成されており、また、ケーシング５の下部に担体装着部８が設けられている。
【００１５】
図９は、印字器１の見出し文字領域Ｍを見た概略説明図であり、印字用エンドレスバンド１０が印字器１の幅方向Ｗに数列（図示の例では、５列）連接されている状態を示しており、見出し文字領域Ｍのセット孔６に見出し文字担体６０が押し入れられて装着され、見出し文字体６１の見出し文字Ｓが外周面から確認できる状態を示している。なお、１５は、後述の操作つまみ部を示している。
【００１６】
図１０は、図８中の選択機構３を示す部分拡大説明図であり、操作つまみ部１５と、この操作つまみ部１５に接続され、操作つまみ部１５の回動に連動して回動する、溝部１６ａが形成された節度コマ１６を備えている。そして、前記印字用エンドレスバンド１０の内周面に突出して押し入れられた見出し文字担体６０の支持部材５３が前記節度コマ１６の溝部１６ａに係合するようになっており、操作つまみ部１５の回動に伴い節度コマ１６が回動すると、溝部１６ａに係合した支持部材５３が移動されることにより印字用エンドレスバンド１０が円滑に回転するようになっている。
【００１７】
図１１は、図８中の押圧機構４を示す部分拡大説明図であり、回転軸１７に対し回動自在に支持された押圧ローラ１８を備えている。押圧ローラ１８は、印字用エンドレスバンド１０の内周面に突出して押し入れられた活字担体５０の支持部材５３に当接して活字担体５０を印字用エンドレスバンド１０の外周面に向けて押圧するための役目を果たしている。
【００１８】
図１２は、図８中、矢示ＸＩＩ方向より見た選択機構３近辺の部分拡大説明図であり、上部の見出し窓部７の手前に次の見出し文字Ｓ（図示の例では、数字の「６」）が回動されている状態を示している。
【００１９】
図１３は、活字担体５０および見出し文字担体６０を保管する活字保管用パネル３０の平面図であり、活字保管用パネル３０には、活字体収納部３１と見出し文字収納部３２とが形成されており、活字体収納部３１には、活字担体５０（図３参照）が、また、見出し文字収納部３２には、見出し文字担体６０（図７参照）が、各々収納されている。同図に示すように、見出し文字Ｓは「正像」であり、また、活字Ｃは鏡反転した「文字」となっている。
収納する活字担体５０および見出し文字担体６０は、台座部材５１に任意の活字Ｃおよび見出し文字Ｓが埋め込まれたものを選択して収納可能であり、したがって、国によって異なる通貨単位、重さの単位などを優先的に用意することができる。
【００２０】
次に、図１ないし図１３に基づき、印字用エンドレスバンド１０の作製方法を説明する。
活字保管用パネル３０より、任意の活字Ｃが埋め込まれた活字担体５０、およびこの活字Ｃを表す見出し文字Ｓが埋め込まれた見出し文字単体６０を選択する。
図１のバンド本体２が掛け渡されただけの印字器１の操作つまみ部１５を回転し、見出し窓部７にバンド本体２の見出し文字領域Ｍのセット孔６ａを位置決めする。このとき、バンド本体２は、選択機構３および押圧機構４の間において所定の張力をもって掛け渡されているため回転する。
位置決めされたセット孔６ａに、選択した見出し文字担体６０の支持部材５３および抑止部材５５を、長手方向Ｌおよび長手方向Ｌに交差する方向にわずかに斜め状態に傾けて押し入れ装着する。
同様に、見出し窓部７に位置決めされたセット孔６とは輪状のバンド本体２の円周方向において対峙する位置、すなわち、担体装着部８に位置決めされているセット孔６ｂに、前記見出し文字Ｓに対応する活字Ｃが形成された活字担体５０の支持部材５３および抑止部材５５を、長手方向Ｌおよび長手方向Ｌに交差する方向にわずかに斜め状態に傾けて押し入れ装着する。
見出し窓部７より装着された見出し文字担体６０は、バンド本体２の裏面（内周面）側に突出した支持部材５３および抑止部材５５が、節度コマ１６の溝部１６ａに係合するので、操作つまみ部１５を回すとバンド本体３は円滑に回るようになる。
また、担体装着部８より装着された活字担体５０は、バンド本体２の裏面（内周面）側に突出した支持部材５３が、押圧ローラ１８により押さえられる。このときセット孔６ｂに装着された活字担体５０は、三次元方向でのフリーな動き（遊び）が可能な状態となっているため、先の押さえローラ１８の押圧時、被印字媒体Ｔ（図１１参照）の印字面Ｔ１に対して活字Ｃが直角に押し付けられるものである。
なお、見出し窓部７に見出し文字担体６０を装着するのと同時に、印字器１における見出し窓部７の円周方向の対峙する位置に設けられた担体装着部８より活字担体５０を装着するので、間違えなく文字の装着が可能となる。
上述したバンド本体２への見出し文字担体６０および活字担体５０の装着を繰り返すことにより、所望の配列の印字器１が実現できる。
所望の活字Ｃを選択して所望の印字用エンドレスバンド１０を所望の配列で実現できることにより、例えば、ユーロのように、各国がかつての通貨における慣習を踏襲したことにより、ユーロマークやピリオドなどの記号の置き場所が多様化されたまま公式の標準がないエリアへの印字器１の提供に、特に有効となる。
【００２１】
また、特定の活字Ｃがつぶれたような場合、あるいは、他文字の活字Ｃに換えたいような場合は、交換したい列の見出し文字Ｓを見出し窓７に合わせると、担体装着部８に交換したい活字Ｃが移動して位置決めされるため、セット孔６ｂから活字Ｃを外して交換すればよく、従来のように、一部の印字文字２２がつぶれた場合、該当バンド本体２１ごと交換する必要がないので、コスト削減および交換時の時間短縮が図れる。
【００２２】
上述したように、バンド本体２に形成されたセット孔６に対し、活字担体５０および見出し文字担体６０を着脱自在に設けるとともに、バンド本体２を回転駆動し、所望の活字体５２を選択する選択つまみ部１５、および選択された活字体５２を被印字媒体Ｔに押圧する押圧ローラ１８とを設けたので、セット孔６より所望の活字Ｃを装着し組み合わせるだけで所望の配列の印字器１が実現できる。
また、バンド本体の円周方向における二分の一を印字文字領域Ｎ、および他の二分の一を見出し文字領域Ｍとして、印字文字領域のセット孔６ｂに対し所望の活字担体５０を押し入れて装着するとともに、円周方向の対峙するセット孔に活字担体５０の活字Ｃに対応した見出し文字Ｓが備えられた見出し文字担体６０を装着するので、見出し文字Ｓと活字Ｃの装着間違いが軽減される。
【００２３】
なお、上記実施の形態の構成及び動作は例であって、本発明の趣旨を逸脱しない範囲で適宜変更することができることは言うまでもない。
【００２４】
例えば、部品の点数を減らすため、活字担体５０と見出し文字担体６０の台座部材５１、支持部材５３、連結部材５４、抑止部材５５を同一の部材としたが、これに限定しないことは勿論であり、例えば、見出し文字担体６０の「支持部材」の高さ（図７における上下方向）を活字担体５０の「支持部材」の高さ（図３における上下方向）より低くするとともに、節度コマ１６の溝部１６ａを浅くして見出し文字担体６０の「支持部材」のみが係合するようにしてもよい。
見出し文字担体６０の「支持部材」の高さを活字担体５０の「支持部材」の高さより低くするとともに節度コマ１６の溝部１６ａを浅くすることにより、活字担体５０が見出し窓部７に乗り入れることを防止できるものである。
【００２５】
なお、上述したように、バンド本体２を、従来のゴム製から樹脂製とすることにより、活字担体５０および見出し文字担体６０の着脱時の柔軟性ならびに耐久性が高まる。
【００２６】
また、上述の実施の形態では、台座部材５１に埋め込まれる活字Ｃは一文字の例で説明したが、これに限定されないことは勿論であり、例えば、「単価」や「均一」、「特価」といった複数文字を縦に数段（この例では二段）配設したような文字（あるいは図形）とすることが可能である。
【００２７】
さらに、バンド本体２に対して活字Ｃを着脱自在としたことにより、活字Ｃの選択的な交換が可能となるため、従来のように、通貨単位や重量単位など、国ごと、ユーザーごとに異なる印字用エンドレスバンドを組み付けた印字器を提供する必要がなく、ユーザーの希望する活字Ｃを収納した活字用保管パネル３０を提供するだけでユーザーが必要とする所望配列の印字用エンドレスバンド１０を備えた印字器１が実現可能であり、図９の見出し文字Ｓに示すようにバンド本体２に「＄」、「￥」・・・などの他国の通貨単位を装着すれば、二重通貨の表示が可能となる。
【００２８】
また、「個数」に相当する「Ｐｉｅｃｅｓ」の省略形「ＰＣＳ」を斜め三段の一文字の「活字」として提供しこれをバンド本体２の適宜位置に装着すれば、日本における「○個−○○円」に相当する「△ＰＣＳ  ○¢」の価格表示が実現可能である。
【符号の説明】
【００２９】
Ｃ    活字
Ｓ    見出し文字
Ｌ    バンド本体２の長手方向
ｈ    連結部材５４の長さ
ｔ    バンド本体２の厚み
Ｍ    見出し文字領域
Ｎ    印字文字領域
Ｗ    印字器１の幅方向
Ｔ    被印字媒体（図１１）
１    印字器
２    バンド本体
３    選択機構
４    押圧機構
５    ケーシング
６    セット孔
７    見出し窓部
８    担体装着部
１０  印字用エンドレスバンド
１５  操作つまみ部
１６  節度コマ
１６ａ  節度コマ１６の溝部
１７  回転軸
１８  押圧ローラ
５０  活字担体
５１  台座部材
５２  活字体
５３  支持部材
５３ａ  支持部材５５の下端部
５４  連結部材
５５  抑止部材
５５ａ  抑止部材５５の下端部
６０    見出し文字担体
６１  見出し文字体
【図１】
2013022915.tif 000003
【図２】
2013022915.tif 000004
【図３】
2013022915.tif 000005
【図４】
2013022915.tif 000006
【図５】
2013022915.tif 000007
【図６】
2013022915.tif 000008
【図７】
2013022915.tif 000009
【図８】
2013022915.tif 000010
【図９】
2013022915.tif 000011
【図１０】
2013022915.tif 000012
【図１１】
2013022915.tif 000013
【図１２】
2013022915.tif 000014
【図１３】
2013022915.tif 000015
【図１４】
2013022915.tif 000016